(57)【要約】【課題】  画像形成装置に用いる定着ユニットの着脱時の安全性を向上させることができるようにする。【解決手段】  定着ユニット１１は、定着ヒータ３７、定着ヒータ３７に駆動電源を入力する脱着可能なコネクタ４３、装置本体との間で制御情報を送信するＲＦＩＤ装置３５を有する。第１のスイッチ部３９は、装置本体内において定着ヒータ３７に供給する駆動電源の電源ラインに挿入される。受信部２５は装置本体側に配置されＲＦＩＤ装置３５との間で制御情報を受信する。電源制御部４１は、受信部２５がＲＦＩＤ装置３５から制御情報を受信しないとき第１のスイッチ部３９をオフ動作して駆動電源を遮断制御する。【選択図】  図４
2011227289.tif 000002
【特許請求の範囲】
【請求項１】
定着ヒータと、当該装置本体から前記定着ヒータを加熱駆動する駆動電源を入力する脱着可能なコネクタと、前記装置本体に対して制御情報を送受信するＲＦＩＤ装置とを有し、前記装置本体に着脱可能に配置される定着ユニットと、
前記装置本体内において前記定着ヒータに供給する前記駆動電源の電源ラインに挿入された第１のスイッチ部と、
前記装置本体側に配置され前記ＲＦＩＤ装置との間で前記制御情報を受信する受信部と、
前記装置本体内の定位置に装着された前記ＲＦＩＤ装置から前記制御情報を前記受信部が受信したとき、前記第１のスイッチ部をオン動作して前記コネクタ側に前記駆動電源を供給制御し、前記制御情報を受信しないとき、前記第１のスイッチ部をオフ動作して前記駆動電源供給を遮断制御する電源制御部と、
を具備することを特徴とする定着ユニット電源制御装置。
【請求項２】
前記装置本体に配置された開閉扉の開状態を検出する第２のスイッチ部を有し、前記電源制御部は前記第２のスイッチ部が前記開閉扉の開状態を検出したとき前記第１のスイッチ部をオフ動作して前記駆動電源を遮断制御する請求項１記載の定着ユニット電源制御装置。
【請求項３】
前記ＲＦＩＤ装置はこれが配置される前記定着ユニットの種類を示す識別情報を送信する機能を有し、前記電源制御部は、受信した前記識別情報が当該装置本体側にて動作許可されたものであるとき、前記第１のスイッチ部をオン制御する請求項１又は２記載の定着ユニット電源制御装置。
【請求項４】
前記ＲＦＩＤ装置が送信する前記識別情報は前記定着ヒータを加熱駆動する前記駆動電源の電圧仕様である請求項３記載の定着ユニット電源制御装置。
【請求項５】
前記定着ユニットは、前記定着ヒータの発熱が伝わり難い位置に前記ＲＦＩＤ装置を配置してなる請求項１〜４いずれか１項記載の定着ユニット電源制御装置。
【請求項６】
前記請求項１〜５いずれか１記載の定着ユニット電源制御装置と、画像データに基づき画像形成する画像形成部とを具備することを特徴とする画像形成装置。
【発明の詳細な説明】
【技術分野】
【０００１】
本発明は定着ユニット電源制御装置および画像形成装置に係り、例えばプリンタ、複写機、ファクシミリ機、複合機（ＭＦＰ：Multi Function Peripheral）等の画像形成装置に用いて好適する定着ユニット電源制御装置および当該画像形成装置の改良に関する。
【背景技術】
【０００２】
この種の画像形成装置にあっては、原稿上の画像情報から画像データを光学的に読み取り、その画像データに基づきトナー像を形成して用紙に転写定着させ、トナー像の転写された用紙を加熱定着部を通過させる過程で、そのトナー像を用紙に加熱定着させて印刷（印字）する印刷機能、その他の処理機能を有している。
【０００３】
そして、その加熱定着部は、交流電源で加熱される定着ヒータを内蔵した定着ローラとこれに圧接された加圧ローラとを有し、画像形成装置本体に対して脱着可能にユニット化される場合が多い。
【０００４】
例えば、図６に示すように、開閉扉１を有する本体ケース３内に、画像転写用トナーの収納されたトナーコンテナ５を配置し、原稿押さえ７の下に置いた原稿を光学系（図示省略）で光学的に読み取って電子データ化し、この電子データをトナーコンテナ５からのトナーによって転写部９で印刷用紙に転写し、定着ユニット１１で定着して印刷する構成を有し、開閉扉１を開いてトナーコンテナ５および定着ユニット１１の着脱を可能にする構成が良く知られている。
【０００５】
なお、図６中の符号１３は印刷枚数や印刷濃度等を指示する操作部、符号１５は動作内容や指示内容を表示する表示部であり、符号ＳＷは開閉扉１の開閉状態をオンオフ検出するスイッチであり、このスイッチＳＷのオン状態下で画像形成装置が動作するようになっている。
【０００６】
ところが、上述した画像形成装置においては、定着ユニット１１が高温になるため、交換やメンテナンスを全てサービスマンに委ねる場合は問題が少ないが、直接、ユーザがその定着ユニット１１を脱着する場合、電源をオンしたまま定着ユニット１１を取り外すと問題が生じ易い。
【０００７】
すなわち、定着ユニット１１は、本体ケース３内において、通常、交流電源、直流電源およびデータ信号等を入力するドロアコネクタ（図示せず。）を介して本体ケース３に接続されているため、電源をオンしたままの状態で放置されると、取り外された後の本体側コネクタには交流電源が生きたまま露出され、ユーザが本体側コネクタに触れて感電する心配があり、安全性を確保する必要がある。
【０００８】
そこで、本体ケース３内において、定着ユニット１１へ交流電源を供給する電源回路に電磁リレー（図示せず）を挿入し、スイッチＳＷが開閉扉１の開状態を検出したとき、このスイッチＳＷによって電磁リレーをオフ動作させて交流電源供給を遮断する構成が提供されている。
【０００９】
なお、本発明に係る一般的な特許文献を挙げれば、特開２００６−８４９９６号公報（特許文献１）の定着装置、特開２００８−２６３８６号公報（特許文献２）の定着ユニットおよび特開２００９−６９６５６号公報（特許文献３）の画像形成装置等がある。
【先行技術文献】
【特許文献】
【００１０】
【特許文献１】特開２００６−８４９９６号公報
【特許文献２】特開２００８−２６３８６公報
【特許文献３】特開２００９−６９６５６号公報
【発明の開示】
【発明が解決しようとする課題】
【００１１】
しかしながら、上述したように、開閉扉１の開状態に応じて電磁リレーを動作させて定着ユニット１１へ供給する交流電源を遮断する構成では、ユーザがスイッチＳＷをオンさせたままの状態で定着ユニットを取り外すことも考えられるし、スイッチＳＷ自体の故障に起因して駆動電源を遮断できない事態も想定され、ユーザの本体側コネクタへの接触時の安全性を確保するためには更なる対策が必要である。
【００１２】
さらに、定着ユニット１１に交流電源を供給する電源回路の電磁リレー自体を開閉扉１の開閉検出スイッチにする提案もあるが、安全規格上、スイッチにおける接点間距離を規定の間隔にする必要があってスイッチ自体が大型化し、装置そのものの寸法が大きくなるという欠点がある。
【００１３】
本発明はそのような課題を解決するためになされたもので、画像形成装置に用いる定着ユニットの着脱時の安全性を向上させることが容易な定着ユニット電源制御装置および画像形成装置の提供を目的とする。
【課題を解決するための手段】
【００１４】
そのような課題を解決するために本発明の請求項１に係る定着ユニット電源制御装置は、定着ヒータと、当該装置本体から定着ヒータを加熱駆動する駆動電源を入力する脱着可能なコネクタと、その装置本体に対して制御情報を送受信するＲＦＩＤ装置とを有し、装置本体に着脱可能に配置される定着ユニットと、その装置本体内において定着ヒータに供給する駆動電源の電源ラインに挿入された第１のスイッチ部と、その装置本体側に配置されＲＦＩＤ装置との間で制御情報を受信する受信部と、その装置本体内の定位置に装着されたＲＦＩＤ装置から制御情報をその受信部が受信したとき、その第１のスイッチ部をオン動作してコネクタ側に駆動電源を供給制御し、その制御情報を受信しないとき第１のスイッチ部をオフ動作して駆動電源供給を遮断制御する電源制御部と、を具備している。
【００１５】
本発明の請求項２に係る定着ユニット電源制御装置は、上記装置本体に配置された開閉扉の開状態を検出する第２のスイッチ部を有し、上記電源制御部が、第２のスイッチ部が開閉扉の開状態を検出したとき第１のスイッチ部をオフ動作して駆動電源を遮断制御する構成である。
【００１６】
本発明の請求項３に係る定着ユニット電源制御装置は、上記ＲＦＩＤ装置が、これが配置される定着ユニットの種類を示す識別情報を送信する機能を有し、上記電源制御部が、受信した識別情報が当該装置本体側にて動作許可されたものであるとき、その第１のスイッチ部をオン制御する構成である。
【００１７】
本発明の請求項４に係る定着ユニット電源制御装置は、上記ＲＦＩＤ装置が送信する識別情報は定着ヒータを加熱駆動する駆動電源の電圧仕様である構成である。
【００１８】
本発明の請求項５に係る定着ユニット電源制御装置は、上記定着ユニットが、その定着ヒータの発熱が伝わり難い位置にＲＦＩＤ装置を配置してなる構成である。
【００１９】
本発明の請求項６に係る画像形成装置は、それら請求項１〜４いずれか１項記載の定着ユニット電源制御装置と、画像データに基づき画像形成する画像形成部とを具備する構成である。
【発明の効果】
【００２０】
このような本発明の請求項１に係る定着ユニット電源制御装置では、定着ユニットを装置本体から取り外すと、装置本体側の受信部と定着ユニット側のＲＦＩＤ装置間の送信が不能になり、これによって電源制御部がその制御情報を受信しない状態を検出し、第１のスイッチ部をオフ動作して駆動電源を遮断制御するから、画像形成装置に用いる定着ユニットの着脱時の安全性を向上させることが容易となる。
【００２１】
本発明の請求項２に係る定着ユニット電源制御装置では、上記装置本体に配置された開閉扉の開状態を検出する第２のスイッチ部を有し、上記電源制御部が、第２のスイッチ部が開閉扉の開状態を検出したとき第１のスイッチ部をオフ動作して駆動電源を遮断制御するから、上述した効果に加えて、開閉扉を開操作すれば定着ユニットへの駆動電源の遮断が可能となり、安全性を一層向上させることが可能である。
【００２２】
本発明の請求項３に係る定着ユニット電源制御装置では、上記電源制御部で受信した識別情報が当該装置本体側にて動作許可されたものであるとき、その第１のスイッチ部をオン制御するから、当該装置に適した定着ユニットが装着されたとき、当該定着ユニットへの駆動電源の供給が可能となり、適切な定着ユニット使用の確保が容易である。
【００２３】
本発明の請求項４に係る定着ユニット電源制御装置では、上記ＲＦＩＤ装置が送信する識別情報として定着ヒータを加熱駆動する駆動電源の電圧仕様とするから、特に、定着ユニットに係る電源仕様に沿った定着ユニットの使用確保が可能である。
【００２４】
本発明の請求項５に係る定着ユニット電源制御装置では、上記定着ユニットが、その定着ヒータの発熱が伝わり難い位置にＲＦＩＤ装置を配置するから、装置本体側の受信部と装着された定着ユニット側のＲＦＩＤ装置と間の通信維持確保が容易であり、正確な動作を確保し易い。
【図面の簡単な説明】
【００２５】
【図１】本発明に係る定着ユニット電源制御装置を含む画像形成装置を示す概略ブロック図である。
【図２】図１の操作パネル部を説明する図である。
【図３】本発明におけるＲＦＩＤ装置を説明するブロック図である。
【図４】本発明に係る定着ユニット電源制御装置の概略を説明する概略ブロック図である。
【図５】本発明に係る定着ユニット電源制御装置の動作手順を説明するフローチャートである。
【図６】本発明の参考となる画像形成装置の外観を説明する外観図である。
【発明を実施するための最良の形態】
【００２６】
以下、本発明に係る定着ユニット電源制御装置および画像形成装置の実施の形態を図面を参照して説明する。
【００２７】
なお、本発明に係る定着ユニット電源制御装置は本発明の画像形成装置を説明する過程で説明し、上述した構成と共通する部分には同一の符号を付す。
【００２８】
図１は本発明に係る画像形成装置Ａの概略ブロック図である。
【００２９】
図１において、画像形成装置Ａは、主制御部１７を中心にして画像読取部１９、記憶部２１、操作パネル部２３、送受信部２５、印刷部２７、電源部２９および第２のスイッチ部３１を有し、例えば複合機（ＭＦＰ）を構成している。
【００３０】
画像形成装置Ａは、これ以外の構成を有するが、本発明の要旨ではないので説明および図示を省略する。
【００３１】
画像読取部１９は、上述した図６中の本体ケース（装置本体）３の上部に配置され、主制御部１７の制御の下、例えば印刷された複数頁の原稿から画像を光学的に読み込み、フィルタ処理等をして電子的印刷データを生成する公知のスキャナ等であり、頁毎の画像データを記憶部２１に記憶するよう制御されている。なお、画像読取部１９は図６中の原稿押さえ７の下部に配置されるが見えない。
【００３２】
記憶部２１は、画像読取部１９からの読取り印刷データ、後述する識別情報を判別するための許可情報を記憶する他、主制御部１７の動作プログラムを記憶した読み書き可能な例えばハードディスクである。
【００３３】
識別情報に係る許可情報は、入力された識別情報の真偽を判定するための判定情報であり、比較によってその入力識別情報が正しい場合、当該画像形成装置Ａを動作させるためのものであって予め設定されている。
【００３４】
操作パネル部２３は、図６中の本体ケース３の上部に配置され、主制御部１７の制御の下、種々の動作状態の表示が可能な表示部１５としての公知の液晶表示パネル部と、装置の動作に係る画像が表示された箇所をタッチすることによって操作の受付ける操作部１３としての機能を有している。
【００３５】
操作パネル部２３は、例えば図２に示すように、印刷（コピー）処理、プリント処理、スキャナ処理、ファクシミリ送受信処理等の種々の操作指示や選択をする選択キー２３ａ、テンキー２３ｂ、スタートキー２３ｃの他、装置の動作状況を表示する表示パネル部２３ｄ等を有している。表示パネル部２３ｄには後述するエラー表示４５が表示される。
【００３６】
送受信部２５は、本体ケース３に後述する定着ユニット３３が装着されたとき、主制御部１７の制御の下、後述する定着ユニット３３に配置されたＲＦＩＤ装置（radio frequency identification）３５に対して高周波信号を非接触で送信し、当該ＲＦＩＤ装置３５からの高周波信号の制御信号を非接触で受信して復調解読し、解読した制御情報を主制御部１７に出力する機能を有している。
【００３７】
ＲＦＩＤ装置３５は、ＩＣチップに商品や使用者に係る種々の情報を読み書き可能に構成したＩＣ無線タグであり、詳細は後述する。
【００３８】
印刷部２７は、上述した図６の本体ケース３内に配置され、大きさの異なるシート材がセットされる複数の給紙部（図示せず。）と、印刷データから印刷画像イメージデータに展開してトナーコンテナ５のトナーでトナー現像してシート材にトナー像を転写する画像形成部としての転写部９と、転写されたシート材の転写画像を定着する定着ユニット３３（１１）とを有するカラー又はモノクロ印刷エンジンである。
【００３９】
定着ユニット３３は、交流電源で加熱される定着ヒータ３７を内蔵した定着ローラとこれに圧接された加圧ローラ（いずれも図示せず。）とを有してユニット化されるとともに、上述したＲＦＩＤ装置３５が定着ヒータ３７の発熱が伝わり難い位置に配置されており、コネクタ（図１では図示省略）を介して本体ケース３に脱着可能に配置される。
【００４０】
ＲＦＩＤ装置３５は、図３に示すように、送受信部２５から発射されアンテナ部３５ａで受信した高周波信号を通信部３５ｂで復調整流した電源によって動作制御され、その高周波信号を受信したとき、当該ＲＦＩＤ装置３５の添付された定着ユニット３３に係る駆動電源の電圧仕様を示す識別情報を格納した記憶部３５ｄから当該識別情報を読み出すとともに、制御部３５ｃにてそれら識別情報を所定のフォーマット信号に形成し、このフォーマット信号を通信部３５ｂで高周波信号を変調してアンテナ部３５ａから発射する機能を有している。
【００４１】
なお、駆動電源の電圧仕様は、定着ユニット３３に配置された定着ヒータ３７を加熱駆動する例えばＡＣ１００Ｖといった駆動電源電圧値や１００系といった電圧規格等の情報である。
【００４２】
図１の電源部２９は、第１のスイッチ部３９を介して定着ユニット１１の定着ヒータ３７に対し、一般の商用交流電源（ＡＣ１００Ｖ）を供給する機能を有するとともに、商用交流電源を降圧、整流および平滑して得た例えば５Ｖの直流電源を主制御部１７、画像読取部１９、記憶部２１、操作パネル部２３、送受信部２５および印刷部２７等に供給する機能を有している。
【００４３】
第１のスイッチ部３９は、商用交流電源を定着ユニット１１の定着ヒータ３７に供給する電源ラインに直列的に挿入された例えば電磁リレーであり、後述するように主制御部１によってオンオフ制御される。
【００４４】
第２のスイッチ部３１は、図６中の本体ケース３に配置され、開閉扉１の閉状態をオン検出して開閉動作を検出する上述したスイッチＳＷに相当するものであり、開閉扉１の開状態を検出したとき検出信号を主制御部１７に出力する機能を有している。
【００４５】
主制御部１７は、ＣＰＵやこのＣＰＵの動作プログラムを格納したＲＯＭを有して形成されており、上述した画像読取部１９、記憶部２１、操作パネル部２３、送受信部２５、印刷部２７、電源部２９および第２のスイッチ部３１等を制御するとともに、電源制御部４１としての機能を有している。
【００４６】
電源制御部４１は、図４に示すように、送受信部２５がＲＦＩＤ装置３５から制御情報を受信したとき第１のスイッチ部３９をオン動作してコネクタ側に駆動電源を供給制御し、制御情報を受信しないとき第１のスイッチ部３９をオフ動作して駆動電源を遮断制御する機能を有している。
【００４７】
なお、図４は、本発明の画像形成装置Ａ中の本発明の係る定着ユニット電源制御装置の概略を説明する概略ブロック図であり、図中の符号４３は、定着ユニット１１側に配置されたコネクタであり、本体ケース３に脱着可能に配置され、交流電源、直流電源およびデータ信号等の入力に使用するドロアコネクタ等である。コネクタ４３に接続される他方のコネクタが本体ケース（電源部３１）側にあるが図示を省略した。
【００４８】
また、電源制御部４１は、ＲＦＩＤ装置３５から受信した識別情報が当該装置本体側にて動作許可されたものであるとき、第１のスイッチ部３９をオン制御するとともに、受信した識別情報が当該装置本体側にて動作許可されたものでないとき、第１のスイッチ部３９をオン制御せずに、操作パネル部２３の表示パネル部２３ｄに、例えば図２に示すように、「正しい定着ユニットが装着されていません」といったエラー表示４５を表示させる機能を有している。
【００４９】
例えば、画像形成装置Ａに装着される定着ユニット１１の定着ヒータ３７をＡＣ１００Ｖの交流駆動電源で動作させる仕様であるところ、実際に装着された定着ユニット１１からの制御情報が２００Ｖ系を示すものである例が相当する。
【００５０】
しかも、電源制御部４１は、第２のスイッチ部３１が本体ケース３の開閉扉１の開状態を検出したとき第１のスイッチ部３９をオフ動作して駆動電源を遮断制御する機能を有している。
【００５１】
次に、本発明の画像形成装置の動作手順を図５のフローチャートを参照して説明する。
【００５２】
図５において、ステップＳ１で本体ケース３の開閉扉１を開くと、ステップＳ２で第２のスイッチ部３１がその開状態を検出し、ステップＳ３にて第１のスイッチ部３９がオフ状態となって定着ユニット１１への交流駆動電源を遮断する。
【００５３】
続く、ステップＳ４にて定着ユニット１１を本体ケース３から取り外すと、ステップＳ５にてＲＦＩＤ装置３５と送受信部２５間の間隔が離れて相互の通信不能状態となり、ステップＳ６にて第１のスイッチ部３９のオフ状態が維持される。
【００５４】
これらステップＳ１〜Ｓ６は、本体ケース３の開閉扉１を開いて定着ユニット１１を取り外す場合に、第２のスイッチ部３１が本来の開状態を検出して定着ユニット１１への交流駆動電源を遮断する動作手順である。
【００５５】
他方、本体ケース３の開閉扉１を開いても、第２のスイッチ部３１を工具等を用いて閉状態のままの状態にして定着ユニット１１を取り外す場合には、ステップＳ１に続いてステップＳ４〜Ｓ６に移り、ステップＳ６にて第１のスイッチ部３９がオフ状態となって定着ユニット１１への交流駆動電源を遮断する。
【００５６】
いずれの場合にも、定着ユニット１１の取り外し時に、定着ユニット１１への交流駆動電源が遮断される。
【００５７】
このように本発明の定着ユニット電源制御装置は、定着ヒータ３７と、当該装置本体から定着ヒータ３７を加熱駆動する駆動電源を入力する脱着可能なコネクタ４３と、装置本体内に対して制御情報を送信するＲＦＩＤ装置３５とを有する定着ユニット１１と、その装置本体内において定着ヒータ３７に供給する駆動電源の電源ラインに挿入された第１のスイッチ部３９と、その装置本体側に配置されＲＦＩＤ装置３５との間で制御情報を受信する送受信部（受信部）２５と、その装置本体内の定位置に装着されたＲＦＩＤ装置３５から制御情報を送受信部２５が受信したとき、第１のスイッチ部３９をオン動作してコネクタ４３側に駆動電源を供給制御し、その制御情報を受信しないとき、第１のスイッチ部３９をオフ動作して駆動電源を遮断制御する電源制御部４１と、その装置本体に配置された開閉扉１の開状態を検出する第２のスイッチ部３１とを有し、上記電源制御部４１が、第２のスイッチ部３１が開閉扉１の開状態を検出したとき第１のスイッチ部３９をオフ動作して駆動電源を遮断制御する構成である。
【００５８】
そのため、画像形成装置に用いる定着ユニット１１の着脱時に、開閉扉を開くと、定着ユニット１１への交流駆動電源の供給が遮断されるし、定着ユニット１１を取り外しても交流駆動電源の供給が遮断されたり遮断状態が維持され、定着ユニット１１を取り外した状態でも、装置本体側にて交流駆動電源が生きた状態で露出し難い。
【００５９】
従って、ユーザが本体側コネクタに触れて感電する心配がなくなり、安全性を向上させることが容易であるし、その操作も簡単である。
【００６０】
もっとも、本発明の定着ユニット電源制御装置では、第２のスイッチ部３１が必須ではなく、電源制御部４１にて第１のスイッチ部３９のみをオフ動作して駆動電源を遮断制御する構成によって本発明の目的達成が可能である。
【００６１】
また、定着ユニット１１側から受信した識別情報を電源制御部４１にて判別して当該制御情報が当該装置本体側を動作許可するものであれば、第１のスイッチ部３９をオン制御する構成にすれば、当該装置に適した定着ユニットが装着されたとき、当該定着ユニットへの駆動電源の供給が可能となり、適切な使用の確保が容易である。
【００６２】
例えば、その識別情報として定着ヒータ３７を加熱駆動する駆動電源の電圧仕様とすれば、特に、定着ユニット１１に係る電源仕様に沿った定着ユニットの使用の確保が可能で、画像形成装置Ａを安定的に動作させることが可能である。
【００６３】
さらに、定着ユニット１１において、ＲＦＩＤ装置３５の配置位置として定着ヒータ３７の発熱が伝わり難い位置、例えば定着ヒータ３７から最も遠い位置、熱伝導の最も小さい位置等にすれば、装置本体側の送受信部２５と定着ユニット１１側のＲＦＩＤ装置３５間の送受信の維持確保が容易であり、正確な動作を確保可能である。
【００６４】
なお、定着ユニット１１におけるＲＦＩＤ装置３５の配置形態は、定着ユニット１１の本体の表面に貼付したり埋設する等、任意である。
【００６５】
そして、本発明における定着ユニット電源制御装置において、第１のスイッチ部３９が挿入される箇所は、定着ユニット１１に供給する駆動電源の電源ラインであれば何れの箇所であっても良く、例えば、画像形成装置Ａのメイン電源スイッチとしたり、これとは別個のスイッチであっても良い。
【符号の説明】
【００６６】
１  開閉扉
３  本体ケース
５  トナーコンテナ
７  原稿押さえ
９  転写部（画像形成部）
１１  定着ユニット
１３  操作部
１５  表示部
１７  主制御部
１９  画像読取部
２１  記憶部
２３  操作パネル部
２３ａ  選択キー
２３ｂ  テンキー
２３ｃ  スタートキー
２３ｄ  表示パネル部
２５  送受信部
２７  印刷部
２９  電源部
３１  第２のスイッチ部
３３  定着ユニット
３５  ＲＦＩＤ装置
３５ａ  アンテナ部
３５ｂ  通信部
３５ｃ  制御部
３５ｄ  記憶部
３７  定着ヒータ
３９  第１のスイッチ部
４１  電源制御部
４３  コネクタ
４５  エラー表示
Ａ  画像形成装置（複合機）
ＳＷ  スイッチ
【図１】
2011227289.tif 000003
【図２】
2011227289.tif 000004
【図３】
2011227289.tif 000005
【図４】
2011227289.tif 000006
【図５】
2011227289.tif 000007
【図６】
2011227289.tif 000008